(57)【要約】　　　（修正有）【課題】一操作で抜け毛やゴミを除去することのできるヘアブラシ用カバー及びヘアブラシを提供する。【解決手段】ヘアブラシが出入りできる広さを持たせた二本のバー１に、ナイロン等の糸２を横方向にびっしりと巻き付けあるいは接着してヘアブラシに被せるカバーとし、一方のバーの裏面に両面テープを張り、もう一方のバーには糊付きのマジックテープ（登録商標）をセットして、使用者が自分のブラシにちょうど良い位置で固定できるようにする。【選択図】　　　図１
2004057782.tif 000002
【特許請求の範囲】
【請求項１】
抜け毛を除去するためにナイロン糸等を張り付けたカバー。
【請求項２】
同カバーを装着したヘアブラシ。
【発明の詳細な説明】
【０００１】
【発明の属する技術分野】
この発明は、ヘアブラシに付着した抜け毛等のゴミを一操作で除去できることを目的とした糸張り製のカバー、及び回転軸によりブラシと糸張り製のカバーとが一体化したヘアブラシである。
【０００２】
【従来の技術及び発明が解決しようとする課題】
これまで誰もがヘアブラシに絡みつく抜け毛等の掃除にはわずらわしさを感じてきた。それを解決するための考案も数多くなされてきた。しかし、過去の考案には次のような難点があって使用に不便で、現在に至るもそのようなブラシは市場に流通していない。
過去の抜け毛除去用ブラシの考案における難点。
▲１▼　現在ヘアブラシの型式の主流は、使用感の快適さを求めて、ブラシの歯が半円形の軸に外側に向けて植え付けられた傘型になっている。つまり歯は放射状に植毛されている。
しかし従来の考案のほとんどは、全ての歯が垂直に植毛されてあるブラシを対象にしてなされていた。抜け毛除去器具が、固定された穴や溝をブラシの歯が通過するという設定のため、放射状の歯のブラシには対応できなかったのである。
▲２▼　上記の欠陥を補正するために考案された「実開平６−４６５２８　簡易清掃機能付組立式ヘアブラシ」があるが、これは確かに放射状のブラシに対応しているものの、その着脱手順があまりにも複雑でわずらわしく、実際の使用には抵抗感があり、やはり市場に出回るには至っていない。
▲３▼　これらとは別に、ヘアブラシに押し込んで使用し、使用後ははいで捨てるというペーパーも売り出されてはいるが、こちらも思いのほか装着に手間取り、実用的とは言いがたい。
【０００３】
【課題を解決するための手段】
本考案はこれらの難点をすべてカバーし、一操作でスムーズに抜け毛等のゴミを除去できるようにした、ナイロン糸等を張り付けたカバー及び同カバーを装着したヘアブラシである。以下、それを説明すると、
【０００４】
（１）カバー装着ヘアブラシの場合
放射状の歯が植えられたヘアブラシの外側を通過することができる大きさを持った型枠１に、ナイロン糸等の横糸２をびっしりと巻き付け、抜け毛除去用のカバーとする。糸の巻き付いた軸には接着剤を用い、仮に横糸が切れた場合でもほかの横糸に影響が及ばないようにする。
【０００５】
カバーの横の縁３（巻き糸と平行になっている）は、弾力があって縦の縁４を握れば柄の曲がり具合に同調した半円形に湾曲するようなプラスチック等の素材を用いる。
【０００６】
ヘアブラシ本体とカバーがワンタッチの開閉により着脱操作できるよう、回転軸５を設ける。
【０００７】
カバーとブラシとがより密着した形を保つよう、それぞれの端が接する部分に噛み合わせ式またはマジックテープ等によるストッパー６を設ける。
【０００８】
（２）ナイロン糸等を張り付けたカバーの場合
上記と原理は同じであるが、横縁７となる素材はビニールテープや布テープ等柔軟性のあるものを用い、さまざまな形状のブラシに対応できるようにする。
【０００９】
両端の軸にマジックテープや鍵形などの留め具８を用い、カバーがブラシを一巻きする形で固定できるようにする。これにより、円筒型のヘアブラシにも装着が可能となる。
【００１０】
【発明上の留意点】
これらを考案するにあたり特別配慮した点は、▲１▼ヘアブラシの歯は複雑な方向性を持って植毛されているから、それを縫いながら歯の根元に除去器具が装着可能なよう、より弾力性、柔軟性に富む糸張りとした。▲２▼ブラシの歯は横方向で放射状に広がっているから、その形状でも抵抗なく器具が通過できるよう、糸もまた歯の並びに沿って横張りとした。また、長い使用でブラシの歯が直線を保っていないような場合でもその間に糸が食い込んで行けるよう、横縁に弾力を持たせて、強く握れば糸が弛んで融通が利くように配慮した。▲３▼ブラシに残された抜け毛は、使用を重ねる度に蓄積して歯に絡みつき、どんどん除去が困難になって行く。それを避けるためには、使用の都度掃除するにこしたことはない。そこでカバーが簡単に脱着できてすぐゴミの除去ができるよう、回転軸によりブラシと一体化し、開閉式にした。
【００１１】
【発明の効果】
本発明は、以上説明したように構成されているので、以下に記されるような効果を発揮する。
【００１２】
ヘアブラシへの着脱が一操作でできる。
【００１３】
放射状の歯であれ、多少曲がってしまった歯であれ、横糸の柔軟性がそれに対応するので、簡単にフィットする。
【００１４】
ヘアブラシとカバーが一体となった考案の場合、横縁に弾力を持たせてあるので、装着の際は糸を緩めることができて融通が利き、装着後は糸が伸び切って安定を保つ。
【００１５】
横糸に絡みついた抜け毛等は指先で容易に払い落とすことができ、ブラシにフケ等が残ったにしても簡単な濯ぎで洗い落とせる。
【００１６】
ブラシとは切り離して使用する、横縁が柔らかな素材のカバーは、どのような形状のブラシにも対応し、もちろん円形のブラシにも抵抗なくフィットする。
【図面の簡単な説明】
【図１】本発明カバー付きヘアブラシの斜視図
【図２】本発明糸張りカバーの斜視図
【符号の説明】
１　型枠
２　横糸
３　横縁
４　縦縁
５　回転軸
６　ストッパー
７　柔らかい横縁
８　留め具
【図１】
2004057782.tif 000003
【図２】
2004057782.tif 000004
【手続補正書】
【提出日】平成14年10月22日(2002.10.22)
【手続補正１】
【補正対象書類名】明細書
【補正対象項目名】全文
【補正方法】変更
【補正の内容】
【発明の詳細な説明】
【特許請求の範囲】
【請求項１】ヘアブラシ、ペット用ブラシの抜け毛を除去するためにナイロン糸等を張り付けた、ブラシにセットできるカバー
【発明の詳細な説明】
【０００１】
【発明の属する技術分野】
この発明は、ヘアブラシやペット用ブラシに付着した抜け毛等のゴミを一操作で除去できることを目的とした、糸張り製のカバーである。
【０００２】
【従来の技術及び発明が解決しようとする課悪】
これまで誰もがヘアブラシに絡みつく抜け毛等の掃除にはわずらわしさを感じてきた。それを解決するための考案も数多くなされてきた。しかし、過去の考案には次のような難点があって使用に不便で、現在に至るもそのようなブラシは市場に流通していない。
過去の抜け毛除去用ブラシの考案における難点。
▲１▼　現在ヘアブラシの型式の主流は、効率性や使用感の快適さを求めて、ブラシの歯が半円形の軸に外側に向けて植え付けられた傘型になっている。つまり歯は放射状に植毛されている。
しかし従来の考案のほとんどは、全ての歯が垂直に植毛されてあるブラシを対象にしてなされていた。抜け毛除去器具が、固定された穴や溝をブラシの歯が通過するという設定のため、放射状の歯のブラシには対応できなかったのである。▲２▼　上記の欠陥を補正するために考案された「実開平６−４６５２８　簡易清掃機能付組立式ヘアブラシ」があるが、これは確かに放射状のブラシに対応しているものの、その脱着手順があまりにも複雑でわずらわしく、実際の使用には抵抗感があり、やはり市場に出回るには至っていない。
また、この発明はブラシと一体型のため、多様化された各種のヘアブラシ個々に対応するのは極めて困難である。
▲３▼　これらとは別に、ヘアブラシに押し込んで使用し、使用後は剥いで捨てるというペーパーも売り出されてはいるが、こちらも思いのほか装着に手間取り、実用的とは言いがたい。
また、ペーパーが使い捨てなので、経済性の面から考えても難点がある。
【０００３】
【課題を解決するための手段】
本考案はこれらの難点をすべてカバーし、一操作でスムーズに抜け毛等のゴミを除去できるようにした、ナイロン糸等を張り付けたカバーである。
以下、それを説明すると、
【０００４】
プラスチック等製の二本のバー（１）に、放射状の歯が植えられたヘアブラシを覆うだけの長さを持つナイロン糸等の横糸（２）をびっしりと巻き付け、あるいは熱処理や接着剤で張り付け、抜け毛除去用のカバーとする。
【０００５】
一方のバーの裏面に両面テープ（３）を張り、使用者が自分のヘアブラシ等に張り付けられるようにする。もう一方のバーの中央部にはマジックテープ（４）をセットし、こちらも使用者が適切な個所に張り付けて固定できるようにする。また、こっちのバーにはきれいな外観を保つためクラフトテープ等を張って、糸が表に現れないようにする。
これによりカバーはたいがいのサイズのブラシを一巻きする形できっちりと固定でき、円筒型のヘアブラシにも装着が可能となる。（円筒型ブラシに使用する場合は、双方のバーの両面テープ糊面、マジックテープ糊面の紙を剥がさない状態でブラシに巻き付ければ、横糸が歯を捉えて簡単にはブラシからカバーは離脱せず、仮固定の状態となる）。
【０００６】
なおこの発明の範囲としては、本カバーを初めからブラシと一体化して成型しやはりマジックテープ等で開閉可能にしたもの（図２）や、枠を固めて取り外し式にしたもの、図１同様に糸を張った縦型のカバーを別に作り双方のバー部分を接続して糸が縦横に走る構造にしたもの（図３）、及びその取り外し式のものも含まれる。
【０００７】
【発明上の留意点】
この考案をするにあたり特別配慮した点は、
▲１▼　ヘアブラシの歯は複雑な方向性を持って植毛されているから、縦横に糸を編んだ普通のネットではまず装着は無理である。ネットでなく、糸が一方向にのみ走る構造にすれば、器具は初めて歯の間を縫って根本まで進むことができる。そこで、その形状でも抵抗なく通過でき、歯の根元に除去器具が装着可能なよう、より弾力性、柔軟性に富む糸張りとした。
▲２▼　ブラシの歯は横方向で放射状に広がっているから、糸もまた歯の並びに沿って横張りとした。
▲３▼　ブラシに残された抜け毛は、使用を重ねる度に蓄積して歯に絡みつき、どんどん除去が困難になって行く。それを避けるためには、使用の都度掃除するにこしたことはない。そこでカバーが簡単に脱着できてすぐゴミの除去ができるよう、一方のバーをマジックテープ止めにし、開閉自在な構造にした。
【０００８】
【発明の効果】
本発明は、以上説明したように構成されているので、以下に記されるような効果を発揮する。
【０００９】
ヘアブラシへの脱着が一操作でできる。
【００１０】
放射状の歯であれ、多少曲がってしまった歯であれ、横糸の柔軟性がそれに対応するので、簡単にフィットする。
【００１１】
糸に絡みついた抜け毛等は指先で容易に払い落とすことができ、ブラシにフケ等が残ったにしても簡単な濯ぎで洗い落とせる。
【００１２】
このブラシカバーはどのような形状のブラシにも対応し、もちろん円筒形のブラシにも抵抗なくフィットする。
【００１３】
特に、ペットの抜け毛は人間の比ではないほど量が多く、この方面でも大きな効果を発揮する。
【図面の簡単な説明】
【図１】本発明糸張りカバーの斜視図
【図２】本発明カバーと一体化成型したブラシの斜視図
【図３】本発明カバーと縦型カバーのバーを接続して一体化した製品の斜視図
【符号の説明】
１　バー
２　横糸
３　両面テープ
４　マジックテープ
５　クラフトテープ
【手続補正２】
【補正対象書類名】図面
【補正対象項目名】全図
【補正方法】変更
【補正の内容】
【図１】
2004057782.tif 000005
【図２】
2004057782.tif 000006
【図３】
2004057782.tif 000007
【手続補正書】
【提出日】平成15年5月1日(2003.5.1)
【手続補正１】
【補正対象書類名】明細書
【補正対象項目名】全文
【補正方法】変更
【補正の内容】
【発明の詳細な説明】
【特許請求の範囲】
【請求項１】抜け毛を除去するための糸張りカバーを、ブラシ本体と一体成型してセットにしたヘアブラシ、ペット用ブラシ
【発明の詳細な説明】
【０００１】
【発明の属する技術分野】
この発明は、付着した抜け毛等のゴミを一操作で除去できることを目的とした、糸張りカバー付きヘアブラシ、ペット用ブラシである。
【０００２】
【特許文献１】
実開昭５８−１３４９４３号公報（第１頁、第１図）
【特許文献２】
特開平２−１９３６０５号公報（第８頁、第１図）
【特許文献３】
実開平５−３９３３０号公報（第２頁、第１図）
【特許文献４】
特開平５−２９３０１３号公報（第３頁、第１図）
【特許文献５】
実開平６−３８６６６号公報（第２頁、第１図）
【特許文献６】
実開平６−４６５２８号公報（第２頁、第１図）
【特許文献７】
登録実用新案第３０１４８９９号公報（第２頁、第１図）
【特許文献８】
登録実用新案第３０２４５１４号公報（第２頁、第１図）
【０００３】
【従来の技術及び発明が解決しようとする課題】
これまで誰もがヘアブラシに絡みつく抜け毛等の掃除にはわずらわしさを感じてきた。それを解決するための考案も数多くなされてきた。しかし、過去の考案には次のような難点があって使用に不便で、現在に至るもそのようなブラシは市場に流通していない。
過去の抜け毛除去用ブラシの考案における難点。
▲１▼　現在ヘアブラシの型式の主流は、効率性や使用感の快適さを求めて、ブラシの歯が半円形の軸に外側に向けて植え付けられた傘型になっている。つまり歯は放射状に植毛されている。
しかし従来の考案のほとんどは、全ての歯が垂直に植毛されてあるブラシを対象にしてなされていた。抜け毛除去器具が、固定された穴や溝をブラシの歯が通過するという設定のため、放射状の歯のブラシには対応できなかったのである。
▲２▼　上記の欠陥を補正するために考案された「実開平６−４６５２８　簡易清掃機能付組立式ヘアブラシ」があるが、これは確かに放射状のブラシに対応しているものの、その脱着手順があまりにも複雑でわずらわしく、実際の使用には抵抗感があり、やはり市場に出回るには至っていない。
▲３▼　また、これらはいずれも製造コストが高上がりで、現実的ではなかった。
▲４▼　これらとは別に、ヘアブラシに押し込んで使用し、使用後は剥いで捨てるというペーパーも売り出されてはいるが、こちらも思いのほか装着に手間取り、実用的とは言いがたい。
また、ペーパーが使い捨てなので、経済性の面から考えても難点がある。
▲５▼　さらには、平２−１９３６０５で抜け毛除去のための糸張りカバーが出願されてはいるが、これは前記▲４▼同様の使い捨て品で不経済であると共に、製造方法も完成品も本考案とはまったく異なっており、本考案と重複するものではない。
【０００４】
【課題を解決するための手段】
本考案はこれらの難点をすべてクリアし、一操作でスムーズに抜け毛等のゴミを除去できるようにした、糸張りカバー付きヘアブラシ、ペット用ブラシである。
以下、それを説明すると、
【０００５】
ヘアブラシ等のプラスチック成型に際し、ブラシ本体の横側から多数の横糸（２）を出し、それらの先端部分をバー（３）で固定した形の、抜け毛掃除用のカバーも併せて作成する。現在の金型成型技術を以てすれば、太さ０．３ｍｍ程度の糸状のプラスチック成型は困難なものではない。
【０００６】
カバーの先端バー部分には、留め具となる引っかかり（４）を設ける。一方、ブラシ本体の横側にも、その引っかかりを受け止めてカバーを固定できる受け具となる部分（５）を設ける。これらは、横糸の張り具合から生じる若干の弾力により、指で操作を加えないことには、使用中に簡単に外れるようなことはない。
【０００７】
【発明上の留意点】
この考案をするにあたり特別配慮した点は、
▲１▼　ヘアブラシの歯は複雑な方向性を持って植毛されているから、縦横に糸を編んだ普通のネットではまず装着は無理である。ネットでなく、糸が一方向にのみ走る構造にすれば、器具は初めて歯の間を縫って根本まで進むことができる。そこで、その形状でも抵抗なく通過でき、歯の根元に除去器具が装着可能なよう、より弾力性、柔軟性に富む糸張りとした。
▲２▼　ブラシの歯は横方向で放射状に広がっているから、糸もまた歯の並びに沿って横張りとした。
▲３▼　ブラシに残された抜け毛は、使用を重ねる度に蓄積して歯に絡みつき、どんどん除去が困難になって行く。それを避けるためには、使用の都度掃除するにこしたことはない。そこでカバーが簡単に脱着できてすぐゴミの除去ができるよう、バーの先端に留め具を設けて開閉自在な構造にした。
【０００８】
【発明の効果】
本発明は、以上説明したように構成されているので、以下に記されるような効果を発揮する。
【０００９】
ヘアブラシへのカバーの脱着が、一操作でできる。
【００１０】
放射状の歯であれ、多少曲がってしまった歯であれ、横糸の柔軟性がそれに対応するので、簡単にフィットする。
【００１１】
糸に絡みついた抜け毛等は指先で容易に払い落とすことができ、ブラシにフケ等が残ったにしても簡単な濯ぎで洗い落とせる。
【００１２】
特に、ペットの抜け毛は人間の比ではないほど量が多く、この方面でも大きな効果を発揮する。
【図面の簡単な説明】
【図１】本発明糸張りカバーと一体化成型したブラシの斜視図
【符号の説明】
１　ブラシ
２　横糸
３　バー
４　カバーの留め具
５　カバー留め具用受け具
【手続補正２】
【補正対象書類名】図面
【補正対象項目名】全図
【補正方法】変更
【補正の内容】
【図１】
2004057782.tif 000008
【手続補正書】
【提出日】平成15年5月20日(2003.5.20)
【手続補正１】
【補正対象書類名】明細書
【補正対象項目名】全文
【補正方法】変更
【補正の内容】
【発明の詳細な説明】
【特許請求の範囲】
【請求項１】ヘアブラシ、ペット用ブラシの抜け毛を除去するためにナイロン糸等を張り付けた、ブラシにセットできるカバー
【発明の詳細な説明】
【０００１】
【発明の属する技術分野】
この発明は、ヘアブラシやペット用ブラシに付着した抜け毛等のゴミを一操作で除去できることを目的とした、糸張り製のカバーである。
【０００２】
【特許文献１】
実開昭５８−１３４９４３号公報（第１頁、第１図）
【特許文献２】
特開平２−１９３６０５号公報（第８頁、第１図）
【特許文献３】
実開平５−３９３３０号公報（第２頁、第１図）
【特許文献４】
特開平５−２９３０１３号公報（第３頁、第１図）
【特許文献５】
実開平６−３８６６６号公報（第２頁、第１図）
【特許文献６】
実開平６−４６５２８号公報（第２頁、第１図）
【特許文献７】
登録実用新案第３０１４８９９号公報（第２頁、第１図）
【特許文献８】
登録実用新案第３０２４５１４号公報（第２頁、第１図）
【０００３】
【従来の技術及び発明が解決しようとする課題】
これまで誰もがヘアブラシに絡みつく抜け毛等の掃除にはわずらわしさを感じてきた。それを解決するための考案も数多くなされてきた。しかし、過去の考案には次のような難点があって使用に不便で、現在に至るもそのようなブラシは市場に流通していない。
過去の抜け毛除去用ブラシの考案における難点。
▲１▼　現在ヘアブラシの型式の主流は、効率性や使用感の快適さを求めて、ブラシの歯が半円形の軸に外側に向けて植え付けられた傘型になっている。つまり歯は放射状に植毛されている。
しかし従来の考案のほとんどは、全ての歯が垂直に植毛されてあるブラシを対象にしてなされていた。抜け毛除去器具が、固定された穴や溝をブラシの歯が通過するという設定のため、放射状の歯のブラシには対応できなかったのである。
▲２▼　上記の欠陥を補正するために考案された「実開平６−４６５２８　簡易清掃機能付組立式ヘアブラシ」があるが、これは確かに放射状のブラシに対応しているものの、その脱着手順があまりにも複雑でわずらわしく、実際の使用には抵抗感があり、やはり市場に出回るには至っていない。
また、この発明はブラシと一体型のため、多様化された各種のヘアブラシ個々に対応するのは極めて困難である。
▲３▼　さらにこれらは、いずれも製造コストが高上がりで、現実的ではなかった。
▲４▼　これらとは別に、ヘアブラシに押し込んで使用し、使用後は剥いで捨てるというペーパーも売り出されてはいるが、こちらも思いのほか装着に手間取り、実用的とは言いがたい。
また、ペーパーが使い捨てなので、経済性の面から考えても難点がある。
▲５▼　さらには、平２−１９３６０５で抜け毛除去のための糸張りカバーが出願されてはいるが、これは前記▲４▼同様の使い捨て品で不経済であると共に、完成品は本考案とはまったく異なっており、本考案と重複するものではない。
【０００４】
【課題を解決するための手段】
本考案はこれらの難点をすべてカバーし、一操作でスムーズに抜け毛等のゴミを除去できるようにした、ナイロン糸等を張り付けたカバーである。
以下、それを説明すると、
【０００５】
プラスチック等製の二本のバー（１）に、放射状の歯が植えられたヘアブラシを覆うだけの長さを持つナイロン糸等の横糸（２）を、熱処理や接着剤などでびっしりと張り付け、抜け毛除去用のカバーとする。
【０００６】
一方のバーの裏面に両面テープ（３）を張り、使用者が自分のヘアブラシ等に張り付けられるようにする。もう一方のバーの中央部にはマジックテープ（４）をセットし、こちらも使用者が適切な個所に張り付けて固定できるようにする。これによりカバーはたいがいのサイズのブラシを一巻きする形できっちりと固定でき、円筒型のヘアブラシにも装着が可能となる。（円筒型ブラシに使用する場合は、双方のバーの両面テープ糊面、マジックテープ糊面の紙を剥がさない状態でブラシに巻き付ければ、横糸が歯を捉えて簡単にはブラシからカバーは離脱せず、仮固定の状態となる）。……以上、図１、図２。
【０００７】
またこれとは別に、プラスチック等の固い素材で長方形の枠を作り、それに横糸を張り付け、あるいは巻き付け、あるいは埋め込んだカバーも、上記品と同様の働きをする。こちらは製品をブラシに張り付けることなく、枠ごと取り外して使用できるものである。
【０００８】
これを説明すると、枠の上下部分を少し湾曲させ、ブラシの曲面に対応させる。ブラシの形態は多様であるが、寸法的にはほぼ似通ったグループ形成となっているので、大まかなグループ別にゆとりを持った枠にすれば、本品はたいがいのブラシに対応できる。
こちらのカバーには前者と違ってブラシとの接続箇所が設けられていないが、横糸とブラシ歯との摩擦力によって据え付け状態が維持され、使用中にカバーが簡単に離脱してしまうような心配はない。……以上、図３。
【０００９】
なおこの発明の範囲としては、本カバーとブラシを接続して開閉可能にしたものも含まれる。
【００１０】
【発明上の留意点】
この考案をするにあたり特別配慮した点は、
▲１▼　ヘアブラシの歯は複雑な方向性を持って植毛されているから、縦横に糸を編んだ普通のネットではまず装着は無理である。ネットでなく、糸が一方向にのみ走る構造にすれば、器具は初めて歯の間を縫って根本まで進むことができる。そこで、その形状でも抵抗なく通過でき、歯の根元に除去器具が装着可能なよう、より弾力性、柔軟性に富む糸張りとした。
▲２▼　ブラシの歯は横方向で放射状に広がっているから、糸もまた歯の並びに沿って横張りとした。
▲３▼　ブラシに残された抜け毛は、使用を重ねる度に蓄積して歯に絡みつき、どんどん除去が困難になって行く。それを避けるためには、使用の都度掃除するにこしたことはない。そこでカバーが簡単に脱着できてすぐゴミの除去ができるよう、一方のバーをマジックテープ止めにし、開閉自在な構造にした。
また、枠を固い素材で作って横糸を張り付け、あるいは巻き付け、あるいは埋め込み等の工法で固定することで、量産にも対応可能なよう配慮した取り外し式の製品も、別途考案した。
【００１１】
【発明の効果】
本発明は、以上説明したように構成されているので、以下に記されるような効果を発揮する。
【００１２】
ヘアブラシへの脱着が一操作でできる。
【００１３】
放射状の歯であれ、多少曲がってしまった歯であれ、横糸の柔軟性がそれに対応するので、簡単にフィットする。
【００１４】
糸に絡みついた抜け毛等は指先で容易に払い落とすことができ、ブラシにフケ等が残ったにしても簡単な濯ぎで洗い落とせる。
【００１５】
このブラシカバーはどのような形状のブラシにも対応し、もちろん円筒形のブラシにも抵抗なくフィットする。
【００１６】
特に、ペットの抜け毛は人間の比ではないほど量が多く、この方面でも大きな効果を発揮する。
【図面の簡単な説明】
【図１】本発明ブラシ張り付け方式糸張りカバーの斜視図
【図２】本発明カバーをセットしたブラシの斜視図
【図３】本発明取り外し方式糸張りカバーの斜視図
【符号の説明】
１　バー
２　横糸
３　両面テープ
４　マジックテープ
５　外枠
【手続補正２】
【補正対象書類名】図面
【補正対象項目名】全図
【補正方法】変更
【補正の内容】
【図１】
2004057782.tif 000009
【図２】
2004057782.tif 000010
【図３】
2004057782.tif 000011